(57)【要約】【課題】カッターにより所定の寸法に切断された印画済み用紙の切断端が下方に移動することを防止するプリンタ装置を提供することを目的とする。【解決手段】プリンタ装置は、印画処理された印画済み用紙４ａを所定の寸法に切断するカッター２と、カッター２により切断された切断済み用紙４ｂを排出するための排紙口１ａとを備えている。プリンタ装置は、カッター２と排紙口１ａとの間で印画紙４を上方に付勢する付勢機構１０をさらに備えている。【選択図】図７
2014004766.tif 000002
【特許請求の範囲】
【請求項１】
印画処理された印画紙を所定の寸法に切断するカッターと、
前記カッターにより切断された前記印画紙を排出するための排紙口と、
前記カッターと前記排紙口との間で前記印画紙を上方に付勢する付勢機構と、
を備える、プリンタ装置。
【請求項２】
前記付勢機構は、前記排紙口を上下に移動自在な扉と、前記扉を上方に付勢する部材とを備え、
前記印画紙は前記扉の上端により上方に押圧される、請求項１記載のプリンタ装置。
【請求項３】
前記扉には、前記印画紙の搬送方向における先端が当接することで、前記扉を下方向へ移動させる斜面部分が形成されている、請求項２記載のプリンタ装置。
【発明の詳細な説明】
【技術分野】
【０００１】
本発明は、連続する印画紙に印画処理を行った後、所定の寸法に切断して排紙する機構を備えたプリンタ装置に関するものである。
【背景技術】
【０００２】
従来のプリンタ装置において、連続する印画紙に印画処理を行った後、所定の寸法に切断して排紙を行い、印刷ユニットの排紙口がその前方に設けられた前面扉に向かって斜め下方を向くように印刷ユニットを傾ける構造を採用したものがある（例えば特許文献１参照）。この装置では、排紙口が前面扉に向かって斜め下方に傾いて配設されているため、印画済みの印画紙である印画済み用紙の落下を導き易くすることで、静電気による印画済み用紙の印刷ユニットへの付着を抑制している。
【０００３】
また、別のラベルプリンタでは、印画済み用紙が静電気によって排出口の下方の前面フレームに貼り付くことを防止するために、印画済み用紙の排出機構をカッターの前方に配置し、排出機構における排紙口の下縁部分と印画済み用紙との間隔をあけることで、印画済み用紙を排紙口の下縁部分に接触させないようにして排紙している（例えば特許文献２参照）。
【先行技術文献】
【特許文献】
【０００４】
【特許文献１】特開２００３−３０５９１７号公報
【特許文献２】特開２０１０−５９２１号公報
【発明の概要】
【発明が解決しようとする課題】
【０００５】
しかしながら、特許文献１の装置では、印画済み用紙の回収部の壁面には大きな平面部があるため、印画済み用紙の落下状態を完全に制御できない状態では静電気により印画済み用紙が貼り付くことを防ぐことができないという問題があった。
【０００６】
また、特許文献２の装置では、カッターにより切断されたときの衝撃で印画済み用紙が予想外の方向に落下することを制御することが困難であり、装置内の周囲の隙間等に引っかかり用紙ジャムを引き起こすという問題があった。
【０００７】
すなわち、従来のプリンタ装置では、カッターにより所定の寸法に切断された印画済み用紙の切断端が切断完了時に下方に移動することを防止できなかったため、印画済み用紙がプリンタ内部に貼り付いたり、用紙ジャムを引き起こしたりしていた。
【０００８】
そこで、本発明は、カッターにより所定の寸法に切断された印画済み用紙の切断端が下方に移動することを防止するプリンタ装置を提供することを目的とする。
【課題を解決するための手段】
【０００９】
本発明に係るプリンタ装置は、印画処理された印画紙を所定の寸法に切断するカッターと、前記カッターにより切断された前記印画紙を排出するための排紙口と、前記カッターと前記排紙口との間で前記印画紙を上方に付勢する付勢機構とを備えるものである。
【発明の効果】
【００１０】
本発明によれば、付勢機構がカッターと排紙口との間で印画紙を上方に付勢するため、カッターにより所定の寸法に切断された印画済み用紙の切断端が下方に移動することを防止できる。
【図面の簡単な説明】
【００１１】
【図１】実施の形態に係るプリンタ装置の概略構成図である。
【図２】カッターとその周辺部の斜視図である。
【図３】カッターとその周辺部の断面図である。
【図４】切断前の印画済み用紙とカッターの移動刃、固定刃を示す正面図である。
【図５】切断時の印画済み用紙とカッターの移動刃、固定刃を示す正面図である。
【図６】排紙口周辺で印画済み用紙が扉の斜面部分に当接する状態を示すプリンタ装置の概略構成図である。
【図７】切断済み用紙が上方に付勢された状態を示すプリンタ装置の概略構成図である。
【図８】従来のプリンタ装置の概略構成図である。
【図９】従来のプリンタ装置において、切断直後の切断済み用紙の状態を示す概略構成図である。
【図１０】従来のプリンタ装置において、切断済み用紙がカッターの固定刃の下に入り込んだ状態を示す概略構成図である。
【発明を実施するための形態】
【００１２】
＜実施の形態＞
本発明の実施の形態について、図面を用いて以下に説明する。図１は、本発明の実施の形態に係るプリンタ装置の概略構成図であり、図２は、カッター２とその周辺部の斜視図であり、図３は、カッター２とその周辺部の断面図であり、図４は、切断前の印画済み用紙４ａとカッター２の移動刃２ｂ、固定刃２ａを示す正面図であり、図５は、切断時の印画済み用紙４ａとカッター２の移動刃２ｂ、固定刃２ａを示す正面図である。
【００１３】
図１に示すように、プリンタ装置は、プリンタ本体１と、カッター２と、排紙口１ａと、付勢機構１０とを備えている。プリンタ本体１は、プリンタ装置の筐体であり、プリンタ装置の一端側（図１において右側）には、印画紙４が、ロール状に巻回され、プリンタ本体１内に回動自在に保持されている。プリンタ本体１の他端側（図１においては左側）には、カッター２で切断された印画紙である切断済み用紙４ｂ（図７参照）を排紙するための排紙口１ａが設けられている。
【００１４】
図１〜図３に示すように、カッター２は、印画紙４の搬送経路において下流側に配置され、サーマルヘッド（図示省略）により印画された印画紙である印画済み用紙４ａを所定の寸法に切断する。印画済み用紙４ａは搬送機構（図示省略）により排紙口１ａへ搬送される。また、カッター２は、印画済み用紙４ａの幅方向に移動可能な移動刃２ｂと、印画済み用紙４ａを下方より支持する固定刃２ａとを有する。
【００１５】
図４に示すように、切断前において移動刃２ｂは印画済み用紙４ａの幅方向における一端側に位置している。切断が開始されると、移動刃２ｂは図４と図５に示す矢印の方向へ（より具体的には印画済み用紙４ａの幅方向における他端まで）移動し、固定刃２ａとの協働により印画済み用紙４ａを所定の寸法に切断する。
【００１６】
次に、図１を用いて付勢機構１０について説明する。付勢機構１０は、カッター２と排紙口１ａとの間に設けられ、扉５と、バネ部材６と、案内部材７とを備えている。扉５はプリンタ本体１内において排紙口１ａと対向する位置に配置されている。バネ部材６は扉５の下端に取り付けられ、扉５を上方に付勢する。案内部材７は、プリンタ本体１内において扉５とカッター２との間に配置され、扉５の上下移動を案内する。これにより、扉５は排紙口１ａを上下に移動自在である。また、扉５の上部には、排紙口１ａ側へ行く程高さ位置が高くなるように傾斜する斜面部分５ａが形成されている。
【００１７】
次に、本実施の形態に係るプリンタ装置の動作について、付勢機構１０を備えない従来のプリンタ装置と比較しながら説明する。図６は、排紙口１ａ周辺で印画済み用紙４ａが扉５の斜面部分５ａに当接する状態を示すプリンタ装置の概略構成図であり、図７は、切断済み用紙４ｂが上方に付勢された状態を示すプリンタ装置の概略構成図であり、図８は、従来のプリンタ装置の概略構成図であり、図９は、従来のプリンタ装置において、切断直後の切断済み用紙４ｂの状態を示す概略構成図であり、図１０は、従来のプリンタ装置において、切断済み用紙４ｂがカッター２の固定刃２ａの下に入り込んだ状態を示す概略構成図である。なお、従来のプリンタ装置において、本実施の形態に係るプリンタ装置と共通する構成要素については、同一符号を付して説明することとする。
【００１８】
従来のプリンタ装置では、図８と図９に示すように、印画済み用紙４ａはプリンタ本体１内のサーマルヘッドにより印画された後、搬送機構により排紙口１ａへ搬送される。印画済み用紙４ａはカッター２により所定の寸法に切断されるが、切断中の印画済み用紙４ａはカッター２の移動刃２ｂにより固定刃２ａの下方へ押され、移動刃２ｂが印画済み用紙４ａの全幅の切断を完了するまでは、移動刃２ｂで固定刃２ａの下方へ押さえ込まれる。
【００１９】
図１０に示すように、切断が完了した瞬間、移動刃２ｂにより下方へ押さえられていた印画済み用紙４ａの切断端４ｃは元に戻ろうとするが、印画紙４との繋がりが切れたため姿勢が不安定になり、また、切断完了時の衝撃も加わり切断端４ｃがカッター２の固定刃２ａの下方へもぐりこむことがある。
【００２０】
これに対して本実施の形態に係るプリンタ装置では、図１に示すように、扉５はバネ部材６により上方に付勢されているため、通常、排紙口１ａは扉５によって塞がれた状態（閉状態）である。図６に示すように、印画済み用紙４ａが搬送機構により下流側へ搬送されると、印画済み用紙４ａの先端４ｅが扉５の斜面部分５ａに当接し、印画済み用紙４ａが斜面部分５ａに沿って排紙口１ａ側に移動するにしたがって、印画済み用紙４ａの先端４ｅが扉５を押圧する。これにより、バネ部材６の弾性力に抗して扉５が下方に移動し、排紙口１ａが開状態となる。このとき、扉５はバネ部材６により常に上方へ付勢されており、扉５の先端５ｂは、印画済み用紙４ａにおける排紙口１ａ近傍部分を上方へ付勢している。
【００２１】
このため、図７に示すように、切断が完了した瞬間においても扉５の先端５ｂが印画済み用紙４ｂを常に上方へ付勢しているため切断済み用紙４ｂの姿勢を安定させ、かつ、扉５の先端５ｂを支点に、図７において反時計回転方向に付勢することができる。したがって、切断済み用紙４ｂの切断端４ｃがカッター２の固定刃２ａの下方へ入り込むことを防ぐことができる。
【００２２】
以上のように、実施の形態に係るプリンタ装置では、付勢機構１０がカッター２と排紙口１ａとの間で切断済み用紙４ｂを上方に付勢するため、カッター２により所定の寸法に切断された切断済み用紙４ｂの切断端４ｃが下方に移動することを防止できる。これにより、切断済み用紙４ｂがプリンタ本体１の内部に引っかかることを防止することができ、ひいては用紙ジャムを防止することができる。
【００２３】
また、付勢機構１０は、排紙口１ａを上下に移動自在な扉５と、扉５を上方に付勢するバネ部材６とを備え、印画紙４は扉５の上端により上方に押圧されるため、簡単な構成で付勢機構１０を実現することができる。
【００２４】
さらに、扉５には、印画紙４の搬送方向における先端４ｅが当接することで、扉５を下方向へ移動させる斜面部分５ａが形成されているため、扉５を下方向へ移動させるための機構を別途設ける必要がなく、プリンタ装置の製造コストが上昇することを抑制できる。
【００２５】
なお、本発明は、その発明の範囲内において、実施の形態を適宜、変形、省略することが可能である。
【符号の説明】
【００２６】
１ａ  排紙口、２  カッター、４  印画紙、５  扉、５ａ  斜面部分、６  バネ部材、１０  付勢機構。
【図１】
2014004766.tif 000003
【図２】
2014004766.tif 000004
【図３】
2014004766.tif 000005
【図４】
2014004766.tif 000006
【図５】
2014004766.tif 000007
【図６】
2014004766.tif 000008
【図７】
2014004766.tif 000009
【図８】
2014004766.tif 000010
【図９】
2014004766.tif 000011
【図１０】
2014004766.tif 000012